【手続補正書】
【提出日】平成26年6月3日(2014.6.3)
【手続補正１】
【補正対象書類名】明細書
【補正対象項目名】００３３
【補正方法】変更
【補正の内容】
【００３３】
第１の中間サンプルＸ、第２の中間サンプルＹ及び第３の中間サンプルＺのそれぞれが、0°、120°又は240°の固定の位相角度に対して常に計算されるとき、第１の乗算器２１、第２の乗算器２２、第３の乗算器２３、第４の乗算器２４及び第５の乗算器２５は、受信されたＩサンプルと受信されたＱサンプルに一定値を乗算する乗算回路として実装することができる。第１の乗算器２１は、入力されたＩサンプルをcos(0°)値により変更し、このため、この変換は1.000による乗算に相当する。基本的に、入力されたＩサンプルは、変化なしに通過する。第２の乗算器２２におけるcos(120°)による第２の変換は、実質的に-0.500の要素による乗算に相当し、第４の乗算器２４におけるcos(240°)による第４の位相変換は、実質的に-0.500の要素による乗算に相当する。同様に、第３の乗算器におけるsin(120°)による入力されたＱサンプルの第３の位相変換は、実質的に0.866の要素による乗算に相当し、sin(240°)による第５の位相変換は、実質的に-0.866の要素による乗算に相当する。
【手続補正２】
【補正対象書類名】特許請求の範囲
【補正対象項目名】全文
【補正方法】変更
【補正の内容】
【特許請求の範囲】
【請求項１】
第１のベースバンドサンプルの第１のベースバンド信号を受信するための第１の入力、第２のベースバンドサンプルの第２のベースバンド信号を受信するための第２の入力、及びアップコンバートされた無線信号サンプルを供給するための出力を有するベースバンド−無線周波数アップコンバーターであって、
前記第１のベースバンドサンプルの第１のベースバンド信号と前記第２のベースバンドサンプルの第２のベースバンド信号を第１の中間サンプルの第１の中間信号、第２の中間サンプルの第２の中間信号及び第３の中間サンプルの第３の中間信号の少なくとも２つに変換するための位相コンバーター、
前記第１の中間サンプルの第１の中間信号、前記第２の中間サンプルの第２の中間信号及び前記第３の中間サンプルの第３の中間信号の前記少なくとも２つのうちの少なくとも１つを前記アップコンバートされた無線信号サンプルに変換するための少なくとも１つのデルタ−シグマ変調器、
を更に有し、
前記第１のベースバンドサンプルは、同相信号のＩサンプルからなり、前記第２のベースバンドサンプルは、直交信号のＱサンプルからなる、ベースバンド−無線周波数アップコンバーター。
【請求項２】
前記位相コンバーターは、前記第１のベースバンド信号及び前記第２のベースバンド信号の実質的に等距離の位相角度を持つサブサンプルとして、前記第１の中間サンプル、前記第２の中間サンプル及び前記第３の中間サンプルの少なくとも２つを供給する、請求項１に記載のベースバンド−無線周波数アップコンバーター。
【請求項３】
前記位相コンバーターの前記第１の中間サンプル、前記第２の中間サンプル及び前記第３の中間サンプルの少なくとも１つは、前記第１の中間サンプル、前記第２の中間サンプル及び前記第３の中間サンプルの少なくとも１つの値を、それぞれ第１の変更されたサンプル、第２の変更されたサンプル及び第３の変更されたサンプルに変更するためにモード拡張スイッチに送られる、請求項１又は２に記載のベースバンド−無線周波数アップコンバーター。
【請求項４】
前記モード拡張スイッチは、前記第１の中間サンプル、前記第２の中間サンプル及び前記第３の中間サンプルの少なくとも１つの前記値を交互に反転させる、請求項３に記載のベースバンド−無線周波数アップコンバーター。
【請求項５】
前記位相コンバーターの前記第１の中間サンプル、前記第２の中間サンプル及び前記第３の中間サンプルの少なくとも１つは、少なくとも１つの多重化された信号に多重化するためにマルチプレクサーに送られ、該少なくとも１つの多重化された信号は、前記少なくとも１つのデルタ−シグマ変調器に送られる、請求項１〜４のいずれか一項に記載のベースバンド−無線周波数アップコンバーター。
【請求項６】
前記第１の中間サンプルの第１の中間信号、前記第２の中間サンプルの第２の中間信号及び前記第３の中間サンプルの第３の中間信号の少なくとも１つが、それぞれ第１のデルタ−シグマ変調器、第２のデルタ−シグマ変調器及び第３のデルタ−シグマ変調器に送られる、請求項１〜５のいずれか一項に記載のベースバンド−無線周波数アップコンバーター。
【請求項７】
前記第１の変更されたサンプル、前記第２の変更されたサンプル及び前記第３の変更されたサンプルの少なくとも２つは、前記第１の変更されたサンプル、前記第２の変更されたサンプル及び前記第３の変更されたサンプルの少なくとも２つを前記無線信号サンプル内にインターリーブするためにマルチプレクサーに送られる、請求項３に記載のベースバンド−無線周波数アップコンバーター。
【請求項８】
少なくとも第１のデルタ−シグマ変調器に供給される第１のクロック周波数と少なくとも第２のクロック周波数との間で切り替え、及び前記位相コンバーターの前記第１の中間サンプル、前記第２の中間サンプル及び前記第３の中間サンプルを変更するための前記モード拡張スイッチに供給される第１の信号変更シーケンスと少なくとも第２の信号変更シーケンスとの間で切り替えるためのモードスイッチを更に有する、請求項３に記載のベースバンド−無線周波数アップコンバーター。
【請求項９】
前記第１の中間サンプルは、前記第１のベースバンド信号に実質的に対応し、
前記第２の中間サンプルは、前記第１のベースバンド信号とcos(120°)の積、及び前記第２のベースバンド信号とsin(120°)の積の和に実質的に対応し、
前記第３の中間サンプルは、前記第１のベースバンド信号とcos(240°) の積、及び前記第２のベースバンド信号とsin(240°) の積の和に実質的に対応する、請求項２に記載のベースバンド−無線周波数アップコンバーター。
【請求項１０】
前記少なくとも１つのデルタ−シグマ変調器のクロック周波数は、送信機キャリア信号の３倍の周波数又は６倍の周波数の１つに実質的に対応する、請求項３に記載のベースバンド−無線周波数アップコンバーター。
【請求項１１】
第１のデルタ−シグマ変調器、第２のデルタ−シグマ変調器及び第３のデルタ−シグマ変調器の少なくとも１つのクロック周波数は、送信機キャリア信号の周波数、又は送信機キャリア信号の２倍の周波数の１つに実質的に対応する、請求項４に記載のベースバンド−無線周波数アップコンバーター。
【請求項１２】
前記第１のベースバンド信号及び前記第２のベースバンド信号、又は前記第１の中間サンプル、前記第２の中間サンプル及び前記第３の中間サンプルの一方が、アップサンプルされる、請求項１〜１１のいずれか一項に記載のベースバンド−無線周波数アップコンバーター。
【請求項１３】
前記位相コンバーターは、前記第１のベースバンド信号と前記第２のベースバンド信号をバイパスすることを可能にする、請求項１〜１２のいずれか一項に記載のベースバンド−無線周波数アップコンバーター。
【請求項１４】
第１のベースバンドサンプルの第１のベースバンド信号、及び第２のベースバンドサンプルの第２のベースバンド信号を無線信号サンプルにアップコンバートするための方法であって、
前記第１のベースバンドサンプルの第１のベースバンド信号と前記第２のベースバンドサンプルの第２のベースバンド信号を第１の中間サンプルの第１の中間信号、第２の中間サンプルの第２の中間信号及び第３の中間サンプルの第３の中間信号の少なくとも２つにサンプルレート変換するステップと、
前記第１の中間サンプルの第１の中間信号、前記第２の中間サンプルの第２の中間信号及び前記第３の中間サンプルの第３の中間信号の前記少なくとも２つうちの少なくとも１つを前記無線信号サンプルに変換するステップと、
前記第１のベースバンドサンプルとして、同相信号のＩサンプルを用い、前記第２のベースバンドサンプルとして、直交信号のＱサンプルを用いるステップと、
を有する、方法。
【請求項１５】
第１のベースバンドサンプルの第１のベースバンド信号を受信するための第１の入力、第２のベースバンドサンプルの第２のベースバンド信号を受信するための第２の入力、及びアップコンバートされた無線信号サンプルを供給するための出力を有するベースバンド−無線周波数アップコンバーターを含むアクティブアンテナアレイであって、該ベースバンド−無線周波数アップコンバーターは、
前記第１のベースバンドサンプルの第１のベースバンド信号と前記第２のベースバンドサンプルの第２のベースバンド信号を第１の中間サンプルの第１の中間信号、第２の中間サンプルの第２の中間信号及び第３の中間サンプルの第３の中間信号に変換するための位相コンバーター、
前記第１の中間サンプルの第１の中間信号、前記第２の中間サンプルの第２の中間信号及び前記第３の中間サンプルの第３の中間信号を前記無線信号サンプルに変換するための少なくとも１つのデルタ−シグマ変調器、
を更に有し、
前記第１のベースバンドサンプルは、同相信号のＩサンプルからなり、前記第２のベースバンドサンプルは、直交信号のＱサンプルからなる、アクティブアンテナアレイ。
【手続補正３】
【補正対象書類名】図面
【補正対象項目名】図１
【補正方法】変更
【補正の内容】
【図１】
2014513503.tif 000001
【手続補正４】
【補正対象書類名】図面
【補正対象項目名】図２
【補正方法】変更
【補正の内容】
【図２】
2014513503.tif 000002
【手続補正５】
【補正対象書類名】図面
【補正対象項目名】図３
【補正方法】変更
【補正の内容】
【図３】
2014513503.tif 000003
【手続補正６】
【補正対象書類名】図面
【補正対象項目名】図４
【補正方法】変更
【補正の内容】
【図４】
2014513503.tif 000004